(57)【特許請求の範囲】
【請求項１】
吐出口から水を吐出させる吐水装置であって、
ユーザによる操作を検知する検知部と、
電源がオンにされたときに本吐水装置が設定変更可能状態になり、かつ、電源がオンにされた後に前記検知部によって第１の操作が検知された場合、本吐水装置に関する設定を変更し、本吐水装置を設定変更可能状態から解除する変更部と、を備えることを特徴とする吐水装置。
【請求項２】
前記検知部によって第２の操作が検知された後に電源がオフにされた場合、次回電源がオンにされたときに本吐水装置は設定変更可能状態になることを特徴とする請求項１に記載の吐水装置。
【請求項３】
設定変更可能状態にあるときに電源がオフにされた場合、次回電源がオンにされたときに本吐水装置の設定変更可能状態は解除されていることを特徴とする請求項１または２に記載の吐水装置。
【請求項４】
水を浄化するためのカートリッジがセットされている浄水器をさらに備え、
前記設定は、前記カートリッジの種別に関する設定であることを特徴とする請求項１から３のいずれかに記載の吐水装置。
【発明の詳細な説明】
【技術分野】
【０００１】
本発明は、吐水装置に関する。
【背景技術】
【０００２】
浄水器を備える吐水装置が知られている。浄水器のカートリッジの濾過性能は次第に低下するため、その性能を維持するためには定期的にカートリッジを交換する必要がある。従来では、カートリッジを通過する水の量が予め設定されたしきい値（カートリッジの耐用通水量）に達したときに、カートリッジの交換時期に至ったと判定する吐水装置が提案されている（例えば特許文献１）。
【先行技術文献】
【特許文献】
【０００３】
【特許文献１】特開２００９−２４９９４６号公報
【発明の概要】
【発明が解決しようとする課題】
【０００４】
特許文献１に記載の吐水装置によれば、カートリッジに合わせてしきい値を切り替えることができるため、しきい値が異なるカートリッジが採用された場合でも、カートリッジの交換時期を適正に報知できる。しかしながら、この吐水装置では、しきい値の切り替えを吐止水の操作部で行っているため、意図せずにしきい値が切り替わってしまうおそれがある。
【０００５】
本発明はこうした状況に鑑みてなされたものであり、その目的は、意図せずにしきい値が切り替わる可能を低減できる吐水装置を提供することにある。
【課題を解決するための手段】
【０００６】
上記課題を解決するために、本発明のある態様の吐水装置は、吐出口から水を吐出させる吐水装置であって、ユーザによる操作を検知する検知部と、電源がオンにされたときに本吐水装置が設定変更可能状態になり、かつ、電源がオンにされた後に検知部によって第１の操作が検知された場合、本吐水装置に関する設定を変更する変更部と、を備える。
【０００７】
この態様によると、電源のオンオフ操作が設定変更の手順に含まれるため、意図せず設定変更されるのを抑止できる。また、電源のオンオフだけで設定変更は完了しないため、別の目的で電源をオンオフしても、意図せず設定変更されるのを抑止できる。
【０００８】
検知部によって第２の操作が検知された後に電源がオフにされた場合、次回電源がオンにされたときに本吐水装置は設定変更可能状態になる。この場合、意図せず設定変更されるのをより確実に抑止できる。
【０００９】
設定変更可能状態にあるときに電源がオフにされた場合、次回電源がオンにされたときに本吐水装置の設定変更可能状態は解除されていてもよい。再度の電源のオンオフにより設定変更可能状態を解除できるため、設定変更可能状態から抜け出せなくなることがない。
【００１０】
本発明の別の態様もまた、吐水装置である。この装置は、吐出口から水を吐出させる吐水装置であって、磁束を検知する検知部と、検知部によって磁束が検知された場合、本吐水装置に関する設定を変更する変更部と、を備える。
【００１１】
この態様によると、磁束が検知された場合に設定が変更される。意図せず磁束が検知される可能性は比較的低いため、意図せず設定変更されるのを抑止できる。
【００１２】
ユーザによる操作を検知する別の検知部をさらに備えてもよい。変更部は、検知部によって磁束が検知された後に別の検知部によって操作が検知された場合、あるいは、別の検知部によって操作が検知された後に検知部によって磁束が検知された場合に、本吐水装置に関する設定を変更してもよい。この場合、意図せず設定変更されるのをより確実に抑止できる。
【００１３】
なお、以上の構成要素の任意の組み合わせや、本発明の構成要素や表現を方法、装置、システムなどの間で相互に置換したものもまた、本発明の態様として有効である。
【発明の効果】
【００１４】
本発明によれば、意図せずにしきい値が切り替わる可能を低減できる吐水装置を提供できる。
【図面の簡単な説明】
【００１５】
【図１】実施の形態に係るキッチンユニットを示す斜視図である。
【図２】図１の吐水装置を示す模式図である。
【図３】制御部の機能および構成を模式的に示すブロック図である。
【図４】カートリッジマスタのデータ構造を示す図である。
【図５】カートリッジ情報保持部のデータ構造を示す図である。
【図６】カートリッジの交換時期に関する情報をリセットする処理を示すフローチャートである。
【図７】電源が投入されたときの吐水装置の処理を示すフローチャートである。
【図８】実施の形態の変形例に係る吐水装置の制御部の機能および構成を模式的に示すブロック図である。
【発明を実施するための形態】
【００１６】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１７】
図１は、実施形態に係るキッチンユニット１００を示す斜視図である。キッチンユニット１００は、カウンターの一部に設けられるシンク１０２を備える。シンク１０２にはカウンターの天面に対して段差をつけた位置に着座部１０４が設けられる。着座部１０４には、正面から見て左側に温度調整機能を有する吐水装置１０６が設置され、右側に浄水機能を有する吐水装置１０が設置される。
【００１８】
図２は吐水装置１０を示す模式図である。吐水装置１０は、自動水栓として機能し、シンク１０２（図２では不図示）に取り付けられる管状体１２と、管状体１２内に挿通される給水チューブ１４および配線ケーブル１６と、管状体１２に取り付けられるセンサ部材１８とを備える。
【００１９】
給水チューブ１４は、管継手２０を介してゴムホース等の送水管２２に接続され、送水管２２を通して上水道等の給水源に接続される。送水管２２には浄水器２４、電磁弁２６、止水栓２８が設置される。浄水器２４は、上流側から送られる原水をカートリッジ（不図示）により浄化し、これを浄水として下流側に送り出す。電磁弁２６は、センサ部材１８から出力される制御信号に基づき閉弁又は開弁し、給水チューブ１４に対する給水の有無を切り替える。
【００２０】
配線ケーブル１６は電源ケーブル３０と信号ケーブル３２を束ねたものである。電源ケーブル３０はセンサ部材１８と電源アダプタ３４とを接続する。センサ部材１８には、外部電源から電源アダプタ３４や電源ケーブル３０を通して電力が供給される。信号ケーブル３２はセンサ部材１８と電磁弁２６を接続する。
【００２１】
センサ部材１８は、発光素子と受光素子との組み合わせによるセンサ素子（不図示）と、マイコンを搭載した回路基板等により構成される制御部４０（図２では不図示）と、を有する。センサ素子は、検知面から数センチ程度の検知範囲内に近接した手や指による反射光を受光した場合に、ユーザの手動操作を示す手動操作信号を出力する。制御部４０はこの手動操作信号を受けてユーザの手動操作を検知する。制御部４０は、信号ケーブル３２を通して電磁弁２６に検知結果に応じた制御信号を出力する。
【００２２】
図３は、制御部４０の機能および構成を模式的に示すブロック図である。ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００２３】
制御部４０は、操作検知部４２と、給水制御部４４と、通電時間積算部４６と、通水量積算部４８と、交換要否判定部５６と、変更部５８と、カートリッジマスタ５０と、カートリッジ情報保持部５２と、状態保持部５４と、を備える。
【００２４】
カートリッジマスタ５０は、浄水器２４に用いることができるカートリッジに関する情報を保持する。図４は、カートリッジマスタ５０のデータ構造を示す。カートリッジ種別ＩＤ５０ａは、カートリッジの種別を一意に特定するＩＤである。耐用通電時間５０ｂは、カートリッジをセットしてから電源（主電源）がオンになっている状態の積算時間であって交換の目安となる積算時間を示す。耐用通水量５０ｃは、カートリッジにより浄化された水の積算量であって、交換の目安となる積算量を示す。以降、耐用通電時間５０ｂと耐用通水量５０ｃとに保持されている情報を合わせて、「カートリッジの寿命」とも呼ぶ。
【００２５】
カートリッジ情報保持部５２は、浄水器２４に現在セットされているカートリッジに関する情報を保持する。図５は、カートリッジ情報保持部５２のデータ構造を示す。カートリッジ種別ＩＤ５２ａは、カートリッジの種別を一意に特定するＩＤであり、カートリッジマスタ５０のカートリッジ種別ＩＤ５０ａに対応する。図５に示す例では、浄水器２４には、「Ａカートリッジ」がセットされていることを示している。積算通電時間５２ｂは、現在のカートリッジがセットされてから電源（主電源）がオンになっている状態の積算時間である。積算通水量５２ｃは、現在のカートリッジにより浄化された水の積算量である。以降、積算通電時間５２ｂと積算通水量５２ｃとに保持されている情報を合わせて、「カートリッジの交換時期に関する情報」とも呼ぶ。
【００２６】
状態保持部５４は、吐水装置１０の状態を示す情報を保持する。具体的には、状態保持部５４は、「通常モード」、「リセットモード」、「切替モード」のいずれかの情報を保持する。「通常モード」は吐止水できるモードである。「リセットモード」は、カートリッジの交換時期に関する情報をリセット（ゼロに）するためのモードである。浄水器２４に現在セットされているカートリッジを、それと同じ寿命のカートリッジに交換する場合、このモードに切り替える。「切替モード」は、カートリッジの種別に関する情報を他方のカートリッジに切り替えるとともに、カートリッジの交換時期に関する情報をリセットできるモードである。浄水器２４に現在セットされているカートリッジを、それとは異なる寿命のカートリッジに交換する場合、このモードに切り替える。
【００２７】
操作検知部４２は、センサ部材１８に対するユーザ操作であり、典型的にはユーザの手動による吐水操作、止水操作、および設定変更操作を検知する。具体的には、操作検知部４２は、センサ部材１８から操作信号を受信することにより、センサ部材１８に対するユーザ操作、例えば手や指をかざす操作を検知する。操作検知部４２は、通常モードにおいて、所定時間（例えば１〜３秒）のユーザ操作がなされたことを検知すると、吐水操作または止水操作を受け付けた旨を示す情報を給水制御部４４へ出力する。また、操作検知部４２は、所定時間（例えば６秒）以上のユーザ操作がなされたことを検知すると、設定変更操作を受け付けた旨を示す情報（以下、「設定変更操作情報」とも呼ぶ。）を変更部５８へ出力する。
【００２８】
給水制御部４４は、操作検知部４２から受け付けた情報に応じて電磁弁２６を開くよう制御し、吐出口１２ａから吐出させる。または、電磁弁２６を閉じるよう制御し、吐出口１２ａからの吐出を停止させ、すなわち吐水装置１０を止水する。
【００２９】
通電時間積算部４６は、外部電源から電源アダプタ３４や電源ケーブル３０を通してセンサ部材１８に電力が供給されている時間を積算する。通電時間積算部４６は、例えば１分に１回の頻度で、カートリッジ情報保持部５２の積算通電時間５２ｂを更新してもよい。
【００３０】
通水量積算部４８は、電磁弁２６を開いている時間と流速とに基づいて、カートリッジを通る水量を積算する。本実施の形態では、流速は、不図示の流量調整弁により、４Ｌ／ｍｉｎに設定されている。通水量積算部４８は、例えば１分に１回の頻度で、カートリッジ情報保持部５２の積算通水量５２ｃを更新してもよい。
【００３１】
交換要否判定部５６は、浄水器２４に現在セットされているカートリッジの交換が必要か否かを判定する。交換要否判定部５６は、カートリッジ情報保持部５２の積算通電時間がカートリッジマスタ５０の耐用通電時間を超えているか否か判定する。また交換要否判定部５６は、カートリッジ情報保持部５２の積算通水量がカートリッジマスタ５０の耐用通水量を超えているか否かを判定する。少なくとも一方がカートリッジマスタ５０の値を超えている場合、交換要否判定部５６は、カートリッジを交換する必要があると判定する。この場合、交換要否判定部５６は、センサ部材１８に含まれる不図示のＬＥＤ素子によってカートリッジを交換する必要がある旨をユーザに報知する。
【００３２】
ユーザは、この報知を受けてカートリッジを交換すればよい。浄水器２４に現在セットされているカートリッジと寿命が同じカートリッジをセットする場合は、カートリッジの交換時期に関する情報をリセットする。浄水器２４に現在セットされているカートリッジとは寿命が異なるカートリッジをセットする場合は、カートリッジの種別に関する情報を他方のカートリッジに切り替えるとともに、カートリッジの交換時期に関する情報をリセットする。これらは、ユーザ操作のもと、変更部５８によって実行される。なお、交換要否判定部５６は、例えば１日に１回、１時間に１回、または１分に１回、カートリッジマスタ５０およびカートリッジ情報保持部５２を参照し、この判定を行う。
【００３３】
カートリッジマスタ５０、カートリッジ情報保持部５２がそれぞれ図４、図５に示す状態の場合、浄水器２４に現在セットされているカートリッジは「Ａカートリッジ」で、その積算通電時間は「６ヶ月」、積算通水量は「６３００Ｌ」であり、Ａカートリッジの耐用通電時間は「１２ヶ月」、耐用通水量は「９９６０Ｌ」であるため、交換要否判定部５６は、まだ交換する必要はないと判定する。
【００３４】
変更部５８は、モード切替部６０と、リセット実行部６２と、切替実行部６４と、を含む。モード切替部６０は、吐水装置１０が「通常モード」であるときに、操作検知部４２から設定変更操作情報を受け付けると、状態保持部５４のデータを「通常モード」から「リセットモード」に更新する。これにより、吐水装置１０は通常モードから「リセットモード」に切り替わる。モード切替部６０は、「リセットモード」に切り替わった後、所定時間（例えば６０秒）内に次の設定変更操作情報を受け付けない場合、状態保持部５４のデータを「リセットモード」から「通常モード」に更新する。これにより、吐水装置１０は通常モードに戻る。
【００３５】
また、モード切替部６０は、電源が投入されたときに状態保持部５４を参照する。モード切替部６０は、状態保持部５４のデータが「リセットモード」である場合、これを「切替モード」に更新する。これにより、吐水装置１０はリセットモードから「切替モード」に切り替わる。ここで、吐水装置１０がリセットモードであるときに吐水装置１０の電源をオフにし、再度電源をオンにすることにより（本実施の形態では吐水装置１０がリセットモードであるときに電源アダプタ３４をコンセントから抜き、再度電源アダプタ３４を電源に差し込むことにより）、電源が投入されたときに状態保持部５４に保持されるデータが「リセットモード」となる。モード切替部６０は、「切替モード」に切り替わった後、所定時間（例えば６０秒）内に次の設定変更操作情報を受け付けない場合、状態保持部５４のデータを「切替モード」から「通常モード」に更新する。これにより、吐水装置１０は通常モードに戻る。
【００３６】
リセット実行部６２は、吐水装置１０がリセットモードであるときに設定変更操作情報を受け付けると、カートリッジの交換時期に関する情報をリセットする。すなわち、リセット実行部６２は、カートリッジ情報保持部５２の積算通電時間５２ｂ、積算通水量５２ｃをそれぞれ０ヶ月、０Ｌに更新する。また、リセット実行部６２は、状態保持部５４のデータを「リセットモード」から「通常モード」に更新する。つまり、リセットモードは終了し、通常モードに戻る。
【００３７】
切替実行部６４は、吐水装置１０が切替モードであるときに設定変更操作情報を受け付けると、カートリッジの種別に関する情報を他方のカートリッジに切り替えるとともに、カートリッジの交換時期に関する情報をリセットする。切替実行部６４は、カートリッジ情報保持部５２のカートリッジ種別ＩＤ５２ａのカートリッジを他方のカートリッジに切り替える。図５の場合、カートリッジ種別ＩＤ５２ａは「Ａカートリッジ」であるため、「Ｂカートリッジ」に更新する。また、カートリッジ情報保持部５２の積算通電時間５２ｂ、積算通水量５２ｃをそれぞれ０ヶ月、０Ｌに更新する。また、切替実行部６４は、状態保持部５４のデータを「切替モード」から「通常モード」に更新する。つまり、切替モードは終了し、通常モードに戻る。
【００３８】
以上の構成による吐水装置１０の設定変更に関する動作を説明する。
図６は、カートリッジの交換時期に関する情報をリセットする処理を示すフローチャートである。変更部５８による処理を示すフローチャートである。モード切替部６０は、通常モードであるときに、操作検知部４２から設定変更操作情報を受け付けると（Ｓ１０）、状態保持部５４のデータを「リセットモード」に更新する（Ｓ１０）。つまりリセットモードが開始される。リセット実行部６２は、リセットモードが開始してから所定時間（例えば６０秒）経過する前（Ｓ１４のＹ）に設定変更操作情報を受け付けると（Ｓ１６のＹ）、カートリッジの交換時期に関する情報をリセットする（Ｓ１８）。また、リセット実行部６２は、状態保持部５４のデータを「通常モード」に更新する（Ｓ２０）。つまりリセットモードが終了して通常モードに戻る。リセット実行部６２が設定変更操作を受け付けていない場合（Ｓ１６のＮ）、処理はＳ１４に戻る。リセットモードが開始してから所定時間経過すると（Ｓ１４のＮ）、Ｓ１６、Ｓ１８をスキップしてＳ２０に進む。
【００３９】
図７は、電源が投入されたときの吐水装置１０の処理を示すフローチャートである。モード切替部６０は、電源が投入されたときの状態保持部５４のデータが「リセットモード」である場合（Ｓ２２のＹ）、状態保持部５４のデータを「切替モード」に変更する（Ｓ２４）。これにより、切替モードが開始する。なお、図６のＳ１２とＳ１８との間で電源アダプタ３４が抜かれると、電源が投入されたときの状態保持部５４のデータが「リセットモード」となる。
【００４０】
切替実行部６４は、切替モードが開始してから所定時間（例えば６０秒）経過する前（Ｓ２６のＹ）に設定変更操作情報を受け付けると（Ｓ２８のＹ）、カートリッジの種別に関する情報を他方のカートリッジに切り替えるとともに、カートリッジの交換時期に関する情報をリセットする（Ｓ３０）。また、切替実行部６４は、状態保持部５４にのデータを「通常モード」に更新する（Ｓ３２）。つまり、切替モードが終了して通常モードに戻る。切替実行部６４が設定変更操作を受け付けていない場合（Ｓ２８のＮ）、処理はＳ２６に戻る。切替モードが開始してから所定時間経過すると（Ｓ２６のＮ）、Ｓ２８、Ｓ３０をスキップしてＳ３２に進む。状態保持部５４のデータが「リセットモード」でない場合（Ｓ２２のＮ）、すなわち状態保持部５４のデータが「通常モード」である場合、処理を終了する。
【００４１】
以上説明した実施の形態に係る吐水装置１０によると、センサ部材１８に対するユーザの操作に加え、電源アダプタ３４に対するユーザの操作を検知することによってカートリッジの種別に関する情報が他方のカートリッジに切り替えられる。すなわち、吐止水の操作部であるセンサ部材１８に対するユーザの操作に加え、吐止水の操作部ではない電源アダプタ３４に対するユーザの操作を検知することによってカートリッジの種別に関する情報が切り替えられる。ここで、吐止水の操作部だけでカートリッジの種別に関する情報を切り替えられると、意図せずに切り替えられてしまう可能性があるところ、本実施の形態に係る吐水装置１０であれば、その可能性を低減できる。また逆に、電源アダプタ３４を抜き差ししても、それだけでカートリッジの種別に関する情報は切り替わらず、抜き差し後にセンサ部材１８に対する操作も必要となるため、別の目的で電源アダプタ３４を抜き差ししたときに意図せず切り替わるのを抑止できる。
【００４２】
また、実施の形態に係る吐水装置１０によると、センサ部材１８に手をかざす操作と電源アダプタ３４を抜き差しする操作という、それぞれ種類の異なる操作を検知することによりカートリッジの種別に関する情報が切り替えられる。また、カウンターよりも上方に位置するセンサ部材１８と、カウンターよりも下方に位置する電源アダプタ３４という、物理的に離れた部材に対する操作をそれぞれ検知することによってカートリッジの種別に関する情報が切り替えられる。したがって、意図せずにカートリッジの種別に関する情報が切り替えられる可能性を低減できる。
【００４３】
以上、実施の形態に係る水栓装置について説明した。この実施の形態は例示であり、その各構成要素の組み合わせにいろいろな変形例が可能なこと、またそうした変形例も本発明の範囲にあることは当業者に理解されるところである。
【００４４】
（変形例１）
図８は、実施の形態の変形例に係る吐水装置の制御部１４０を示す。制御部１４０は、第１の実施の形態の制御部４０と異なり、さらに磁束検知部７０を備える。磁束検知部７０は、例えばホールＩＣによって構成される。吐水装置１０が通常モードであるときに、ユーザがセンサ部材１８に対して所定の磁石をかざすと、磁束検知部７０はこれを検知する。磁束検知部７０が磁束を検知すると、切替実行部６４は、カートリッジの種別を他方のカートリッジに切り替えるとともに、カートリッジの交換時期に関する情報をリセットする。例えば、磁束検知部７０によって検知された磁束密度が所定のしきい値以上の場合に、切替実行部６４による処理が実行されてもよい。
【００４５】
磁束検知部７０によって意図せず磁束が検知される可能性は比較的低いため、本変形例によれば、意図せず設定変更されるのを抑止できる。また、磁石をかざすだけでカートリッジの種別の切替えと交換時期に関する情報のリセットとが実行されるため、ユーザの負担が軽減される。
【００４６】
（変形例２）
変形例１では、吐水装置１０が通常モードであるときに磁石をかざすと、カートリッジの種別に関する情報の切替えと、カートリッジの交換時期に関する情報のリセットとが実行される場合について説明したが、これに限られない。吐水装置１０がリセットモードであるときに、磁石がかざされたことを磁束検知部７０が検知すると、切替実行部６４がカートリッジの切替と交換時期のリセットとを実行してもよい。
【００４７】
また、吐水装置１０が通常モードであるときに、磁石がかざされたことを磁束検知部７０が検知すると、吐水装置１０が切替モードに切り替わり、切替モードにおいて切替実行部６４が設定変更操作情報を受け付けると、カートリッジの種別に関する情報の切替えと、カートリッジの交換時期のリセットとを実行してもよい。
【００４８】
また、実施の形態の電源アダプタ３４の抜き差しの代わりに、磁石をセンサ部材１８にかざしてもよい。つまり、吐水装置１０がリセットモードであるときに電源アダプタ３４を抜き差しする代わりに、磁石をセンサ部材１８にかざしてもよい。この場合、磁束検知部７０が磁束を検知すると、モード切替部６０は状態保持部５４のデータを「リセットモード」から「切替モード」に変更すればよい。
【００４９】
（変形例３）
実施の形態では、電源アダプタ３４を抜き差しすることによって吐水装置１０が切替モードに切り替わった場合、切替実行部６４が設定変更操作情報を受け付けることなく所定時間（６０秒）経過すると、切替モードが終了して通常モードに戻る場合について説明したが、これに限られない。切替えモードに切り替わった場合、再度電源アダプタ３４を抜き差しすると通常モードに戻るようにしてもよい。具体的には、モード切替部６０は、電源が投入されたときに状態保持部５４を参照し、状態保持部５４のデータが「切替モード」である場合、これを「通常モード」に更新する。これにより、誤って電源アダプタ３４を抜き差しして吐水装置１０が切替モードに切り替わった場合でも、次の電源アダプタ３４の抜き差しで通常モードに戻せるため、切替モードから抜け出せなくなることがない。
【００５０】
（変形例４）
実施の形態では、カートリッジマスタ５０は、ＡカートリッジとＢカートリッジの２種類のカートリッジを保持する場合、すなわち浄水器２４にこれら２種類のカートリッジを用いることができる場合について説明したが、これに限られない。浄水器２４に用いることができるカートリッジは３種類以上あってもよい。
【００５１】
（変形例５）
実施の形態では、電源アダプタ３４を抜き差しすることによって、リセットモードから切替モードに切り替わる場合について説明し、また変形例１、２では、磁束を検知することによってリセットモードから切替モードに切り替わる場合について説明したが、これに限られない。電源アダプタ３４を抜き差しする代わりに、スイッチ操作で電源がオンになった場合にリセットモードから切替モードに切り替わるようにしてもよい。
【００５２】
（変形例６）
吐水装置１０は、建物、船舶等に設置される設備に用いられてよく、キッチンの他に、洗面台、手洗器、浴室等に用いられてもよい。また、管状体１２が取り付けられる基体としてシンク１０２を例示した。この基体は、キッチンや洗面台ではカウンターが例示されるが、この他にも、キッチン等の設備の外内を区画する壁部材等が含まれる。
【００５３】
（変形例７）
実施の形態では、通常モードであるときにモード切替部６０が設定変更操作情報を受け付けると通常モードからリセットモードに切り替わり、リセットモードであるときに吐水装置１０の電源がオフにされ、再度電源がオンにされることによってリセットモードから切替モードに切り替わり、切替モードであるときに切替実行部６４が設定変更操作情報を受け付けるとカートリッジの切替と交換時期のリセットとが実行される場合について説明したが、これに限られない。例えば、通常モードであるときに吐水装置１０の電源がオフにされ、再度電源がオンにされることによって通常モードから（リセットモードを飛ばして）切替モードに切り替わり、切替モードであるときに切替実行部６４が設定変更操作情報を受け付けるとカートリッジの切替と交換時期のリセットとが実行されてもよい。
【００５４】
（変形例８）
実施の形態では、操作検知部４２は、手や指をかざす操作を所定時間以上検知した場合に、設定変更操作情報を変更部５８へ出力する場合について説明したが、これに限られない。例えば、吐水装置１０が所定のスイッチをさらに備え、操作検知部４２がこのスイッチに対する操作を検知した場合に設定変更操作情報を変更部５８へ出力してもよい。
【００５５】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。
【符号の説明】
【００５６】
１０  吐水装置、  １８  センサ部材、  ２４  浄水器、  ３４  電源アダプタ、  ４０  制御部、  ４２  操作検知部、  ４６  通電時間積算部、  ４８  通水量積算部、  ５０  カートリッジマスタ、  ５２  カートリッジ情報保持部、  ５４  状態保持部、  ５８  変更部、  ６４  切替実行部。
【図１】
0006453087.tif 000002
【図２】
0006453087.tif 000003
【図３】
0006453087.tif 000004
【図４】
0006453087.tif 000005
【図５】
0006453087.tif 000006
【図６】
0006453087.tif 000007
【図７】
0006453087.tif 000008
【図８】
0006453087.tif 000009